(57)【要約】【課題】容易に且つ外れないように取り付けられるカバー体を備えたバルブユニットを搭載した給湯器を提供する。【解決手段】ガス給湯器は、ガス流量を調整可能なバルブユニット４１を備える。バルブユニット４１の上方には通水管が配置される。バルブユニット４１は上バルブボディ４２Ｂ、切替電磁弁、及びカバー体６０を備える。切替電磁弁は上バルブボディ４２Ｂの上端部に固定される。カバー体６０は上バルブボディ４２Ｂに着脱可能に固定される。カバー体６０は上バルブボディ４２Ｂ及び切替電磁弁を上方から覆う上面部６０Ａ、及び上面部６０Ａの外周部から垂下する右側面部６０Ｂ、左側面部６０Ｃを備える。右側面部６０Ｂ、左側面部６０Ｃの夫々には、孔部６０Ｅが設けられる。上バルブボディ４２Ｂには、孔部６０Ｅに対応する位置に、孔部６０Ｅが係止する突起部４２Ｃが設けられる。【選択図】図４
2020085281.tif 000002
【特許請求の範囲】
【請求項１】
バーナに供給するガス流量を調整可能なバルブユニットを備え、前記バルブユニットの上方に水を通水させる通水管が配置された給湯器において、
前記バルブユニットは、
上方向に延びるガス通路を内部に備えるガス管部と、前記ガス管部の上端部に設けられ、前記ガス通路と連通する弁室を内部に有する弁室部と、前記弁室部における上方向と交差する所定方向の側壁部に設けられ、前記弁室と連通し、前記弁室内に流入するガスを流出させるガス出口とを備えたバルブボディと、
前記弁室に前記所定方向に進退可能に設けられた弁体により前記ガス出口を開閉可能で、且つ前記ガス出口側とは反対方向に突出するように前記弁室部に固定される電磁弁と、
前記バルブボディに着脱可能に固定され、前記バルブボディ及び前記電磁弁の少なくとも上方を覆うカバー体と
を備え、
前記カバー体は、
前記バルブボディ及び前記電磁弁を上方から覆う上面部と、
前記上面部の外周部において互いに対向する一対の周端部から垂下する一対の側面部と
を備え、
前記一対の側面部の夫々には、被係止部が設けられ、
前記バルブボディには、前記被係止部に対応する位置に、前記被係止部が係止する係止部が設けられたこと
を特徴とする給湯器。
【請求項２】
前記上面部は、平面視矩形状に形成され、
前記ガス出口側である第一端部側から前記電磁弁側である第二端部側に向かうにつれて下方に傾斜すると共に、前記第一端部と前記第二端部が互いに対向する方向に直交する方向において一方に傾斜し、
前記第一端部には、当該第一端部の全域に亘って上方に突出する壁部が設けられたこと
を特徴とする請求項１に記載の給湯器。
【請求項３】
前記一対の側面部のうち少なくとも一方は、複数の前記被係止部が設けられたことを特徴とする請求項１又は２に記載の給湯器。
【請求項４】
前記カバー体のうち少なくとも前記被係止部の周辺部は、透明部材により形成されたことを特徴とする請求項１〜３の何れかに記載の給湯器。
【発明の詳細な説明】
【技術分野】
【０００１】
本発明は、給湯器に関する。
【背景技術】
【０００２】
従来、給湯器には、バーナに供給するガス流量を制御する電磁弁ユニットが設けられる（例えば、特許文献１参照）。電磁弁ユニットは金属製のハウジングを備え、ハウジングには元弁、比例弁、及び切替弁が組み込まれる。ハウジングは、その内部をガスが通過するガス通路を備える。ハウジングは、上端部に弁室を有する弁室部を備える。弁室部にはガス通路の出口が設けられる。切替弁の弁体はガス通路の出口を開閉可能に弁室内に設けられ、切替弁はハウジングの上端部に設けられる。
【先行技術文献】
【特許文献】
【０００３】
【特許文献１】特開２００３−１８５１３４号公報
【発明の概要】
【発明が解決しようとする課題】
【０００４】
ところで、給湯器内におけるバーナや熱交換器等の各構成部品のレイアウトの関係で、電磁弁ユニットを通水管の直下に配置する場合がある。通水管は、内部を流れる水の温度と給湯器内部の温度の関係により、通水管の表面に水が結露する場合がある。通水管の表面に結露した水が滴下すると、切替弁に接触する可能性があった。そこで、電磁弁ユニットのハウンジングに対し、ハウジング及び切替弁の上方を覆うことができるカバー体を取り付けることが考えられるが、カバー体を容易に且つ外れないように取り付けることが難しいという問題点がある。
【０００５】
本発明の目的は、容易に且つ外れないように取り付けられるカバー体を備えたバルブユニットを搭載した給湯器を提供することである。
【課題を解決するための手段】
【０００６】
請求項１に係る発明の給湯器は、バーナに供給するガス流量を調整可能なバルブユニットを備え、前記バルブユニットの上方に水を通水させる通水管が配置された給湯器において、前記バルブユニットは、上方向に延びるガス通路を内部に備えるガス管部と、前記ガス管部の上端部に設けられ、前記ガス通路と連通する弁室を内部に有する弁室部と、前記弁室部における上方向と交差する所定方向の側壁部に設けられ、前記弁室と連通し、前記弁室内に流入するガスを流出させるガス出口とを備えたバルブボディと、前記弁室に前記所定方向に進退可能に設けられた弁体により前記ガス出口を開閉可能で、且つ前記ガス出口側とは反対方向に突出するように前記弁室部に固定される電磁弁と、前記バルブボディに着脱可能に固定され、前記バルブボディ及び前記電磁弁の少なくとも上方を覆うカバー体とを備え、前記カバー体は、前記バルブボディ及び前記電磁弁を上方から覆う上面部と、前記上面部の外周部において互いに対向する一対の周端部から垂下する一対の側面部とを備え、前記一対の側面部の夫々には、被係止部が設けられ、前記バルブボディには、前記被係止部に対応する位置に、前記被係止部が係止する係止部が設けられたことを特徴とする。
【０００７】
請求項２に係る発明の給湯器は、請求項１に記載の構成に加え、前記上面部は、平面視矩形状に形成され、前記ガス出口側である第一端部側から前記電磁弁側である第二端部側に向かうにつれて下方に傾斜すると共に、前記第一端部と前記第二端部が互いに対向する方向に直交する方向において一方に傾斜し、前記第一端部には、当該第一端部の全域に亘って上方に突出する壁部が設けられたことを特徴とする。
【０００８】
請求項３に係る発明の給湯器は、請求項１又は２に記載の構成に加え、前記一対の側面部のうち少なくとも一方は、複数の前記被係止部が設けられたことを特徴とする。
【０００９】
請求項４に係る発明の給湯器は、請求項１〜３の何れかに記載の構成に加え、前記カバー体のうち少なくとも前記被係止部の周辺部は、透明部材により形成されたことを特徴とする。
【発明の効果】
【００１０】
請求項１に係る発明の給湯器によれば、給湯器に搭載されたバルブユニットは、カバー体を容易に且つ外れないように取り付けられる。また、カバー体は上面部ではなく、側面部にてバルブボディと係止しているので、カバー体はバルブユニットの上側からカバー体より内側に水が侵入するのを抑制できる。よって、本態様の給湯器は、バルブユニットを通水管の直下に設置した場合でも、カバー体によって水がバルブユニットの電磁弁と接触を効果的に抑制できる。
【００１１】
請求項２に係る発明の給湯器によれば、請求項１に記載の効果に加え、カバー体は、通水管より滴下した水の流れをコントロールすることができ、カバー体の定点から滴下することができる。よって、カバー体より滴下した水が、バルブユニットの周囲の電気機器と接触することが抑制される。また、カバー体は壁部によって、請求項１記載のカバー体よりも水が電磁弁に接触するのを更に抑制できる。
【００１２】
請求項３に係る発明の給湯器によれば、請求項１又は２に記載の効果に加え、バルブユニットに設けられたカバー体がバルブボディに対して回動しなくなる。仮にカバー体がバルブボディに対して回動すると、カバー体は十分にバルブボディ及び電磁弁を覆えなくなり、弁室部の上面に水が滴下して電磁弁へと水が伝ってしまうことや、直接電磁弁へと水が滴下することが考えられる。よって、本態様の給湯器は、カバー体がバルブボディに安定して支持されることで、カバー体の効果を担保することができる。
【００１３】
請求項４に係る発明の給湯器によれば、請求項１〜３の何れかに記載の効果に加え、給湯器の組立や点検時において、作業者がバルブボディに設けられた係止部と、カバー体に設けられた被係止部との位置関係を把握しやすくなるので、作業者は、カバー体のバルブボディへの取り付け又はバルブボディからの取り外しを容易にすることができる。
【図面の簡単な説明】
【００１４】
【図１】ガス給湯器１の下方からの斜視図である。
【図２】ガス給湯器１の概略構成図である。
【図３】バルブユニット４１周囲の下方からの斜視図である。
【図４】バルブユニット４１の下方からの斜視図である。
【図５】カバー体６０を除いたバルブユニット４１の上方からの斜視図である。
【図６】バルブユニット４１の正面図である。
【図７】バルブユニット４１の右側面図である。
【発明を実施するための形態】
【００１５】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１６】
図１を参照し、ガス給湯器１の外観構造を説明する。ガス給湯器１は、筐体２とフロントカバー３を備える。筐体２は金属製であり、前面を除く五面が囲まれる略直方体状に形成される。筐体２は、天板（図示外）、底板４、左側面板（図示外）、右側面板５、及び背板（図示外）を備える。背板の上端部及び下端部には、取付用金具６が夫々設けられる。底板４には、外部の給湯栓へ繋がる出湯口１１、外部から水道管が接続される入水口１２、外部からガス供給管が接続されるガス入口１３が夫々設けられる。
【００１７】
フロントカバー３は金属製であり、背面を除く五面が囲まれる略直方体状に形成される。フロントカバー３の前面の上部には、左右方向に延びる開口が設けられ、当該開口から排気筒９が前方に突出している。フロントカバー３の底面及び左右側面の下部には、スリット状に形成される複数の吸気口１０が間隔を空けて設けられる。
【００１８】
図２，図３を参照し、筐体２の内部構造を説明する。筐体２の内部には、燃焼室２０、燃焼ファン２９、給水管３１、出湯管３２、バイパス管３３、ガス管４０、バルブユニット４１等が設けられる。燃焼室２０には複数のバーナが左右方向に積層した、２つのバーナ群２８、熱交換器２２、及び排気筒９を備える。２つのバーナ群２８は、燃焼室２０の下側に設けられる。２つのバーナ群２８のうち片側のバーナ群２８の近傍には、フレームロッド２６及び点火プラグ２７が設けられる。熱交換器２２は、２つのバーナ群２８の上方に設けられる。熱交換器２２は内部を通水可能な管体２３を備え、２つのバーナ群２８からの燃焼排気の熱によって管体２３内を流れる水が加熱される。排気筒９は、燃焼室２０の前面上部に設けられる。排気筒９は、熱交換器２２の内部を通過した燃焼排気を整流しつつガス給湯器１の外へ排出する。燃焼ファン２９は、燃焼室２０の底部に設けられた開口部２４の直下に設けられる。燃焼ファン２９は、開口部２４を介して、２つのバーナ群２８に向けて二次空気を供給する。
【００１９】
給水管３１は、一端が入水口１２に接続され、他端が熱交換器２２の管体２３の入口に接続される。給水管３１には、水が流れる上流側から順に、水流スイッチ３６、水量センサ３４、及び水量制御モータ３５が設けられる。水流スイッチ３６は、給水管３１内を水が流れているか否かを検出する。水量センサ３４は、給水管３１を流れる水量を計測する。水量制御モータ３５は、給水管３１を流れる水量を制御する。出湯管３２は、一端が出湯口１１に接続され、他端が熱交換器２２の管体２３の出口に接続されている。バイパス管３３は、給水管３１と出湯管３２の間に接続されている。バイパス管３３は、給水管３１に流れる水の一部を、出湯管３２を流れる湯に合流させる。
【００２０】
ガス管４０は、一端がガス入口１３に接続され、他端がバルブユニット４１に接続される。バルブユニット４１は、燃焼室２０の下方に設けられる。バルブユニット４１には、後述する元ガス電磁弁４３及び比例弁４４等を備える。バルブユニット４１は、ガス管４０から２つのバーナ群２８に向けて供給されるガス量を制御し、ノズル台４６（図３では省略）を介して、２つのバーナ群２８にガスを供給する。
【００２１】
ガス給湯器１の作動を簡単に説明する。水流スイッチ３６が入水口１２より給水管３１に水が流入したことを検出すると、燃焼ファン２９が作動し、バーナ群２８に空気が供給される。次いで、バルブユニット４１内のガス通路が開き、ガス入口１３から供給されるガスがバーナ群２８へ送られる。点火プラグ２７が放電して生じた火花により、バーナ群２８は点火し、ガスと空気の混合気を燃焼させる。熱交換器２２の管体２３内を流れる水は、バーナ群２８による燃焼排気熱によって加熱される。フレームロッド２６がバーナ群２８の炎を検出すると、バルブユニット４１内部のガス通路は開状態が維持される。バルブユニット４１によってバーナ群２８に送られるガス量が制御される。水量センサ３４で計測した水量に基づいて水量制御モータ３５によって給水管３１を流れる水量が制御される。水流スイッチ３６が入水口１２から給水管３１に水の流入がなくなったことを検出すると、バルブユニット４１内のガス通路が閉じ、バーナ群２８は消火する。そして、燃焼ファン２９の作動が停止し、ガス給湯器１は作動を停止する。
【００２２】
図４から図７を参照し、バルブユニット４１の構造を説明する。図４に示すように、バルブユニット４１は、ガス比例弁ユニット４１Ａ及び切替ユニット４１Ｂを備える。ガス比例弁ユニット４１Ａはバルブユニット４１の下側に、切替ユニット４１Ｂはバルブユニット４１の上側に設けられる。ガス比例弁ユニット４１Ａは、ガス入口１３から供給されるガスの流通の開閉制御及びバーナ群２８に供給するガス量の制御を行う。切替ユニット４１Ｂは、ガス比例弁ユニット４１Ａから供給されるガスを２つのバーナ群２８に分配制御する。
【００２３】
ガス比例弁ユニット４１Ａは、下バルブボディ４２Ａ、元ガス電磁弁４３、及び比例弁４４を備える。下バルブボディ４２Ａは金属製で、略逆Ｌ字状に形成される。下バルブボディ４２Ａの内部には、ガスが流れる下ガス通路（図示外）が設けられる。
【００２４】
元ガス電磁弁４３は、下バルブボディ４２Ａの後部から後方に突出して設けられる。元ガス電磁弁４３の弁体（図示外）は、下ガス通路を開閉可能である。比例弁４４は、下バルブボディ４２Ａの前側下部から下方に突出し、元ガス電磁弁４３のガスの流れる下流側に設けられる。比例弁４４の弁体（図示外）は、下ガス通路内を進退することによって、元ガス電磁弁４３を通過してガス通路を流れるガス量を調整する。  
【００２５】
図５から図７を参照して切替ユニット４１Ｂを説明する。図５に示すように、切替ユニット４１Ｂは、上バルブボディ４２Ｂと切替電磁弁４５を備える。上バルブボディ４２Ｂは金属製で、上下方向に延びて形成される。上バルブボディ４２Ｂの上端部には、２つの切替弁室部５５が左右に並んで設けられる。切替弁室部５５の前面には、夫々、切替ユニット４１Ｂ内を流れるガスを流出させるガス開口６６が設けられる（図４参照）。２つのガス開口６６はノズル台４６（図５では省略）と接続される。
【００２６】
上バルブボディ４２Ｂの内部には、上下方向に延びる上ガス通路を備える。上バルブボディ４２Ｂは下端部が開口しており、下バルブボディ４２Ａと接続されたとき、下ガス通路と上ガス通路が連通する。切替弁室部５５の内部には、夫々、切替弁室（図示外）が設けられる。上ガス通路は２つの切替弁室と連通する。
【００２７】
切替電磁弁４５は、切替弁室部５５の後端の壁部に固定される。切替電磁弁４５の弁体（図示外）は、切替弁室に前後方向に進退可能に設けられ、ガス開口６６を開閉可能である。従って、２つの切替弁室へ流れたガスは、２つの切替電磁弁４５の開閉の状況に応じて２つのバーナ群２８へ分配供給される。
【００２８】
図６、図７を参照してカバー体６０の構造を説明する。給水管３１の一部はバルブユニット４１の直上、且つ燃焼室２０の下方に配置される（図３参照）。給水管３１内部を流れる水の温度とガス給湯器１内部の温度の関係により、給水管３１の表面に結露が生じることがある。この結露水が、滴下してバルブユニット４１の上端部に設けられた切替電磁弁４５と接触する場合がある。切替電磁弁４５と水の接触を防ぐため、バルブユニット４１にはカバー体６０が設けられる。カバー体６０は透明樹脂製で、上面部６０Ａ、右側面部６０Ｂ、及び左側面部６０Ｃを備える。上面部６０Ａは平面視矩形状に形成される。右側面部６０Ｂ及び左側面部６０Ｃは、上面部６０Ａの左右方向端部の全域から垂れ下がるように設けられる。
【００２９】
右側面部６０Ｂ及び左側面部６０Ｃには、孔部６０Ｅが夫々二個ずつ上下方向に並んで設けられる。孔部６０Ｅは、十字の切れ込みで形成される。上バルブボディ４２Ｂには、孔部６０Ｅの対応する二箇所に突起部４２Ｃが夫々設けられる。突起部４２Ｃは断面Ｔ字状に形成され、対応する孔部６０Ｅと係止可能である。このように、孔部６０Ｅを突起部４２Ｃに係止させる構成とすることで、カバー体６０は、上バルブボディ４２Ｂに対して容易に取り付けることができる。そして、カバー体６０の上面部６０Ａではなく、右側面部６０Ｂと左側面部６０Ｃにて係止している。給水管３１から滴下した結露水は、カバー体６０の上面部６０Ａに落下するので、カバー体６０に滴下した水が上面部６０Ａより内側に侵入するのを抑制できる。よって、バルブユニット４１は、カバー体６０により水がバルブユニット４１の切替電磁弁４５と接触するのを効果的に抑制できる。また、カバー体６０は、右側面部６０Ｂと左側面部６０Ｃの両側面にて、上バルブボディ４２Ｂの対応する両側面と係止しているので、通常の使用状態において外れにくい。よって、カバー体６０は、バルブユニット４１上に水が滴下するのを常時防止できる。
【００３０】
カバー体６０の一対の側面部である右側面部６０Ｂ、左側面部６０Ｃは、上バルブボディ４２Ｂに対して夫々複数の箇所で係止されるので、カバー体６０は上バルブボディ４２Ｂに対して回動しなくなる。仮にカバー体６０が上バルブボディ４２Ｂに対して回動すると、カバー体６０は十分にバルブボディ４２や切替電磁弁４５を覆えなくなる。この場合、切替弁室部５５の上面に水が滴下して電磁弁へと水が伝ってしまうことや、直接、切替電磁弁４５へと水が滴下することが考えられる。よって、カバー体６０が上バルブボディ４２Ｂに安定して支持されることで、カバー体６０の効果を担保することができる。
【００３１】
更に、カバー体６０は透明樹脂製である。ガス給湯器１の組立や点検時において、上バルブボディ４２Ｂに設けられた突起部４２Ｃと、カバー体６０に設けられた孔部６０Ｅとの位置関係を把握しやすくなる。よって、カバー体６０のバルブボディ４２への取り付け又はバルブボディ４２からの取り外しが容易になる。
【００３２】
図６に示すように、カバー体６０の上面部６０Ａは、右側に向かって下方に傾斜している。また、図７に示すように、カバー体６０の上面部６０Ａは、後側に向かって下方に傾斜している。従って、カバー体６０は、給水管３１より滴下した水の流れをコントロールすることができ、カバー体６０の定点から水を滴下することができる。よって、カバー体６０より滴下した水が、バルブユニット４１より下部に配置された電気機器（例えば、水量制御モータ３５等）と接触するのを抑制できる。
【００３３】
また、図７に示すように、カバー体６０の上面部６０Ａの後端部にはカバー体壁部６０Ｄが上方に突出して設けられる。カバー体壁部６０Ｄは、左右方向の全域に亘って設けられる。これにより、上面部６０Ａの後端部より水が滴下することが抑制され、給水管３１より滴下した水の流れを更にコントロールすることができる。
【００３４】
図７には参考として、給水管３１を併せて示す。カバー体６０は、給水管３１の下方に配置される。カバー体６０は切替電磁弁４５の上方を覆っている。カバー体６０の前後方向の長さは、給水管３１、上バルブボディ４２Ｂ、及び切替電磁弁４５の位置関係を勘案して決定される。
【００３５】
上述の通り、バルブユニット４１には切替電磁弁４５の他に元ガス電磁弁４３及び比例弁４４が設けられる。図７に示すように、元ガス電磁弁４３は切替電磁弁４５の下方後側に配置される。カバー体壁部６０Ｄによりカバー体６０より後方に水が流れることが抑制される。そして、元ガス電磁弁４３は左右方向でカバー体６０の内側に設けられるので、カバー体６０より滴下した水は元ガス電磁弁４３と接触し難い。よって、カバー体６０は元ガス電磁弁４３と水の接触も抑制できる。また、比例弁４４は切替電磁弁４５の下方前側に配置される。図６、図７に示すように、上面部６０Ａの傾斜により、水は比例弁４４から遠ざかる方向に流れる。そして、比例弁４４は左右方向でカバー体６０の内側に設けられるので、カバー体６０より滴下した水は比例弁４４と接触し難い。カバー体６０により比例弁４４と水が接触することも抑制できる。
【００３６】
以上説明したように、本実施形態のガス給湯器１は、バーナ群２８に供給するガス流量を調整可能なバルブユニット４１を備える。バルブユニット４１の上方には水を通水させる給水管３１が配置される。バルブユニット４１は、上端部に切替弁室を有する切替弁室部５５と、切替弁室部５５の前端部に設けられ、切替弁室に流入するガスを流出させるガス開口６６とを備える上バルブボディ４２Ｂと、切替弁室内に前後方向に進退可能に設けられた弁体によりガス開口６６を開閉可能で、且つ上バルブボディ４２Ｂの後方に突出するように切替弁室部５５に固定される切替電磁弁４５と、上バルブボディ４２Ｂに着脱可能に固定され、上バルブボディ４２Ｂ及び切替電磁弁４５の上方を覆うカバー体６０とを備える。カバー体６０は上バルブボディ４２Ｂ及び切替電磁弁４５を上方から覆う上面部６０Ａと、上面部６０Ａの左右の周端部から夫々垂下する右側面部６０Ｂ、左側面部６０Ｃを備える。右側面部６０Ｂ、左側面部６０Ｃの夫々には、孔部６０Ｅが設けられる。上バルブボディ４２Ｂには、孔部６０Ｅに対応する位置に、孔部６０Ｅが係止する突起部４２Ｃが設けられる。よって、ガス給湯器１に搭載されたバルブユニット４１は、カバー体６０を容易に且つ外れないように取り付けられる。また、カバー体６０の上面部６０Ａではなく、右側面部６０Ｂ及び左側面部６０Ｃにて係止しているので、バルブユニット４１の上側からカバー体６０より内側に水が侵入するのを防止できる。従って、本実施形態のガス給湯器１は、バルブユニット４１を給水管３１の直下に設置した場合でも、カバー体６０により水がバルブユニット４１の切替電磁弁４５と接触を効果的に抑制できる。
【００３７】
カバー体６０の上面部６０Ａは、平面視矩形状に形成され、後方に向かうにつれて下側に傾斜すると共に、右方に向かうにつれて下側に傾斜すると共に、後端部の全域に亘って上方に突出するカバー体壁部６０Ｄが設けられる。よって、カバー体６０は、給水管３１より滴下した水の流れをコントロールすることができ、カバー体６０の定点から滴下することができる。従って、カバー体６０より滴下した水が、バルブユニット４１の周囲の電気機器と接触することが抑制される。また、カバー体６０はカバー体壁部６０Ｄによって、水が切替電磁弁４５に接触するのを更に抑制できる。
【００３８】
右側面部６０Ｂ及び左側面部６０Ｃのうち少なくとも一方は、複数の前記被係止部が設けられる。これにより、バルブユニット４１に設けられたカバー体６０が上バルブボディ４２Ｂに対して回動しなくなる。仮にカバー体６０が上バルブボディ４２Ｂに対して回動すると、カバー体６０は十分に上バルブボディ４２Ｂ及び切替電磁弁４５を覆えなくなり、切替弁室部５５の上面に水が滴下して電磁弁へと水が伝ってしまうことや、直接切替電磁弁４５へと水が滴下することが考えられる。よって、本実施形態のガス給湯器１は、カバー体６０が上バルブボディ４２Ｂに安定して支持されることで、カバー体６０の効果を担保することができる。
【００３９】
カバー体６０は透明樹脂によって形成されている。従って、ガス給湯器１の組立や点検時において、作業者が上バルブボディ４２Ｂに設けられた突起部４２Ｃと、カバー体６０に設けられた孔部６０Ｅとの位置関係を把握しやすくなるので、作業者は、カバー体６０の上バルブボディ４２Ｂへの取り付け又は上バルブボディ４２Ｂからの取り外しを容易にすることができる。
【００４０】
上記説明にて、給水管３１が本発明の「通水管」の一例である。ガス給湯器１が本発明の「給湯器」の一例である。上バルブボディ４２Ｂが本発明の「ガス管部」の一例である。切替弁室部５５が本発明の「弁室部」の一例である。ガス開口６６が本発明の「ガス出口」の一例である。上バルブボディ４２Ｂ及び切替弁室部５５が本発明の「バルブボディ」の一例である。切替電磁弁４５が本発明の「電磁弁」の一例である。右側面部６０Ｂ及び左側面部６０Ｃが「側面部」の一例である。孔部６０Ｅが「被係止部」の一例である。突起部４２Ｃが「係止部」の一例である。カバー体壁部６０Ｄが「壁部」の一例である。
【００４１】
なお、本発明は上記実施形態に限定されるものではなく、種々の変更が可能である。例えば、上記実施形態において、給水管３１の一部がバルブユニット４１の直上に配置されるが、結露の可能性がある通水管であればよく、バイパス管３３の一部がバルブユニット４１の直上に配置されてもよい。また、給水管３１とバイパス管３３の両方がバルブユニット４１の直上に配置されてもよい。
【００４２】
また、上記実施形態では、カバー体６０の右側面部６０Ｂ及び左側面部６０Ｃに、孔部６０Ｅが夫々二個ずつ設けられたが、孔部６０Ｅはカバー体６０の一方の側面に複数個、他方の側面に少なくとも一個設けられていればよい。例えば、右側面部６０Ｂに孔部６０Ｅが二個、左側面部６０Ｃに孔部６０Ｅが一個設けられ、上バルブボディ４２Ｂの孔部６０Ｅの対応する位置に突起部４２Ｃが設けられてもよい。
【００４３】
また、上記実施形態では、カバー体６０の右側面部６０Ｂ及び左側面部６０Ｃは、上面部６０Ａの左右方向端部の全域から垂れ下がるように設けられたが、突起部４２Ｃを覆うように設けられていればよい。
【００４４】
また、上記実施形態では、カバー体６０は透明樹脂からなっていたが、少なくとも孔部６０Ｅの周辺部が透明部材であればよい。
【００４５】
また、上記実施形態では、カバー体６０の孔部６０Ｅは十字の切れ込みで形成されているが、例えば円孔等、他の形状でもよい。また、上バルブボディ４２Ｂの突起部４２Ｃは断面Ｔ字状に形成されているが、例えば鉤状等、他の形状でもよい。また、カバー体６０に孔部６０Ｅ、上バルブボディ４２Ｂに突起部４２Ｃが設けられているが、孔部６０Ｅと突起部４２Ｃが対応関係にあればよく、例えばカバー体６０に突起部、上バルブボディ４２Ｂに孔部が設けられてもよい。
【００４６】
また、上記実施形態では、突起部４２Ｃは全て上バルブボディ４２Ｂに設けられたが、下バルブボディ４２Ａに設けてられてもよい。
【符号の説明】
【００４７】
３１      給水管
４１      バルブユニット
４２Ｂ    上バルブボディ
４２Ｃ    突起部
４５      切替電磁弁
５５      切替弁室部
６０      カバー体
６０Ａ    上面部
６０Ｂ    右側面部
６０Ｃ    左側面部
６０Ｄ    カバー体壁部
６０Ｅ    孔部
６６      ガス開口
【図１】
2020085281.tif 000003
【図２】
2020085281.tif 000004
【図３】
2020085281.tif 000005
【図４】
2020085281.tif 000006
【図５】
2020085281.tif 000007
【図６】
2020085281.tif 000008
【図７】
2020085281.tif 000009